(57)【要約】【課題】  風路の構造を複雑化することなく、温風暖房機としての送風量の確保を容易に可能とし、その上で、温風暖房の他に芳香・薬効等の室内空気環境の改善、その他を目的とした機能を併せ持つ温風暖房機を提供する。【解決手段】  バーナ２の燃焼により発生した燃焼排ガスと本体ケース１の背面に設けた対流用ファン４からの室内空気流とを本体ケース１内に設けた風路５内で混合し、本体ケース１の前面に設けた温風吹出口７から吹き出すようにした温風暖房機において、前記温風吹出口７の近傍の本体ケース１前部に通気孔８ｄを有する蓋８ｃによって前面が開閉自在に閉塞される容器８を設け、この容器８に香料や薬草等を収容するように構成した。【選択図】        図１
2005069626.tif 000002
【特許請求の範囲】
【請求項１】
バーナの燃焼により発生した燃焼排ガスと本体ケースの背面に設けた対流用ファンからの室内空気流とを本体ケース内に設けた風路で混合し、本体ケースの前面に設けた温風吹出口から吹き出すようにした温風暖房機において、前記温風吹出口の近傍の本体ケース前部に通気性を有する蓋によって前面が開閉自在に閉塞される容器を設け、この容器に香料や薬草等を収容するように構成したことを特徴とする温風暖房機。
【請求項２】
前記容器は、香料や薬草等を収容したカートリッジを収容するように構成したことを特徴とする請求項１記載の温風暖房機。
【請求項３】
前記容器は、本体ケース内に位置する部位を熱伝導率の高い板金製のケースで構成したことを特徴とする請求項１記載の温風暖房機。
【請求項４】
前記容器は、前記温風吹出口の下方の本体ケース前部に設けたことを特徴とする請求項１記載の温風暖房機。
【発明の詳細な説明】
【技術分野】
【０００１】
本発明は、燃料を燃焼させ、その熱を利用して室内に温風を吹き出す温風暖房機に関するもので、特に暖房以外の室内空気環境の改善を目的とした機能を付加した温風暖房機に関するものである。
【背景技術】
【０００２】
従来、例えば、水蒸気発生手段により発生せしめられた水蒸気を水蒸気導出通路を介して外部へ放出するように構成された加湿器において、水蒸気導出通路に、ハーブ類を収容するハーブ類収容部を設けるとともに、水蒸気導出通路を流通する水蒸気量を調整する流量調節手段を付設しているものがある（例えば、特許文献１参照）。
【０００３】
【特許文献１】特開平７−３２４７８５号公報（第２−３頁、第１図）
【発明の開示】
【発明が解決しようとする課題】
【０００４】
温風暖房機においては、室内を暖房するために燃焼によって発生させた熱量を室内全体に素早く伝達させるために温風風量はできるだけ大きく設定できるように設計するのが通常である。また、機器内部で燃焼によって発生する熱量に対して送風風量が不足すると機器内部に熱がこもり、機器本体自体の温度が上昇して機器本体を構成する材料の耐熱温度を超えてしまうため、燃焼熱量に対して一定以上の送風風量は絶対不可欠なものである。
【０００５】
しかしながら、近年、機器本体のサイズがコンパクト化する中で、吹出口面積を充分にとれないことが多く、その条件下で送風風量を確保するために、温風の流速が速くなってしまう傾向があった。また近年、本来の暖房機能の他に室内空気環境の改善を目的とした様々な付加価値機能を追加させたハイブリッド型の温風暖房機が市場から要望されているのが現状である。室内空気環境の改善を目的とした機能の一例として、芳香・薬効等を考えた場合、従来の技術に記したように、加湿器においては、水蒸気導出通路にハーブ類を収容するハーブ類収容部を設けているものがあるが、同じように、温風暖房機において、対流用ファンで機器本体内に導入された室内空気が温風吹出口から機器外に出てゆくまでの風路の途中に、香料や薬草等を収容する容器を設けた場合、空気流がこの容器を通過する際には大きな圧力損出が生まれ、送風量は大きく減少してしまい、本来の温風暖房機として必要な送風量を確保することが非常に困難になるという問題点があった。
【０００６】
また、風路は高温になりやすいため、風路の途中に香料や薬草等を収容する容器を設けると、芳香成分や薬効成分等の揮発量が多くなり、揮発量のコントロールが難しくなるという問題点があった。かといって、香料や薬草等を収容する容器を風路から隔離し、別のヒーター等で温度制御を行なうようにして、揮発量をコントロールしようとすると、構造の複雑化、部品点数の増加によるコストアップ等につながるという問題点があった。
【０００７】
更に、芳香成分や薬効成分等が消費されて、使用者に香料や薬草等を入れ替えてもらう必要性が生じたとき、風路内にこれらを収容する容器があると、交換するのが非常に困難になるという問題点があった。
【０００８】
本発明は、上記のような問題点を解決するもので、風路の構造を複雑化することなく、温風暖房機としての送風量の確保を容易に可能とし、その上で、温風暖房の他に芳香・薬効等の室内空気環境の改善、その他を目的とした機能を併せ持つ温風暖房機を提供することを目的としている。
【０００９】
また、構造の複雑化や部品点数の増加等を伴わずに、適度な芳香成分や薬効成分等の揮発量を得られるようにした温風暖房機を提供することを目的としている。
【００１０】
更に、芳香成分や薬効成分等が消費されて、使用者に香料や薬草等を入れ替えてもらう必要性が生じた際には、使用者が機器の外部から容易に香料や薬草等を交換することができるようにした温風暖房機を提供することを目的としている。
【課題を解決するための手段】
【００１１】
本発明に係わる温風暖房機は、バーナの燃焼により発生した燃焼排ガスと本体ケースの背面に設けた対流用ファンからの室内空気流とを本体ケース内に設けた風路で混合し、本体ケースの前面に設けた温風吹出口から吹き出すようにした温風暖房機において、前記温風吹出口の近傍の本体ケース前部に通気性を有する蓋によって前面が開閉自在に閉塞される容器を設け、この容器に香料や薬草等を収容するように構成したものである。
【発明の効果】
【００１２】
本発明によれば、バーナーでの燃焼熱や温風からの伝熱を利用して香料や薬草等から芳香成分や薬効成分等を揮発させるようにしているため、芳香成分や薬効成分等の適度な揮発量が得られ、かつ本体ケース内の風路中に香料や薬草等を収容する容器を設けたりして構造を複雑化してしまうことがなく、温風暖房機としての送風量の確保を容易に可能とし、その上で、温風暖房の他に芳香・薬効等の室内空気環境の改善を行うことができる。
また、香料や薬草等を収容する容器には、機器の外部から使用者が簡単に手で開閉（又は取り外し）できる蓋を設けているので、使用者はこの蓋を取り外すことによって、香料や薬草等が消耗した場合に、容易に香料や薬草等を入れ替えることができる。
【発明を実施するための最良の形態】
【００１３】
実施の形態１．
以下、本発明の実施の形態１を図に基づいて説明する。
【００１４】
図１は本発明の実施の形態１を示す温風暖房機の全体図であり、図２は同温風暖房機の縦断面図である。
【００１５】
図１及び図２において、温風暖房機の本体ケース１の内部には、気化した液体燃料の燃焼を行うバーナ２と、このバーナ２での燃焼によって生じた高温ガスを上方に導く燃焼筒３と、この燃焼筒３から出た高温ガスと本体ケース１の背面に設けた対流用ファン４により送られる外部空気と混合する風路５が設けてあり、この風路５からの温風は、温風の吹出方向を規制するルーバ６によって規制された方向へ向けて、本体ケース１の前面に設けた温風吹出口７から吹き出される。また、前記本体ケース１には温風吹出口７の近傍で、かつ下方に位置した場所には取付穴１ａがあけてあり、この取付穴１ａに香料や薬草等を収容したカートリッジ９を収容するための容器８を嵌め込んで装着してある。
【００１６】
次に、図３は容器装着部の分解図であり、図４は容器装着部の拡大縦断面図である。
【００１７】
図３及び図４に示すように、容器８は、熱伝導率の高い物質で作られた板金製のケース８ａと、樹脂製の取付枠８ｂと、樹脂製の蓋８ｃとで構成されている。この容器８の装着は、まず板金製のケース８ａを前記本体ケース１の前面に設けた取付穴１ａの内部側に設置し、この板金製のケース８ａに樹脂製の取付枠８ｂを前記本体ケース１にあけた取付穴１ａをはさむようにして本体ケース１の外部側から嵌め込んで装着し、次に、通気孔８ｄを有する樹脂製の蓋８ｃで前記取付枠８ｂの前面を覆うように横方向からスライドさせることにより開閉自在に閉蓋して装着が完了する。香料や薬草等を収容したカートリッジ９は、香料や薬草等が入った半透膜袋９ｂと、多数の通気孔９ｃを有する樹脂製のカートリッジケース９ａとで構成されており、前記蓋８ｃを開放することにより容器８内に収容される。
【００１８】
次に上記実施の形態１に示す温風暖房機の動作について説明する。
通常、常温では香料や薬草から芳香成分や薬効成分が放出される量は少ない。しかしながら、機器の運転スイッチ（図示せず）が入れられ、バーナ２での燃焼が開始すると、容器８は本体ケース１内部側に位置する部位を熱伝導率の高い物質で形成された板金製のケース８ａで構成しているため、本体ケース１の温風吹出口７近傍からの伝熱と、機器の内部温度上昇による熱で温度が上昇する。そのため、バーナ２での燃焼が行われているときは、香料や薬草からの芳香成分や薬効成分の放出量は常温の倍以上となる。そして、香料や薬草から放出した芳香成分や薬効成分は、半透膜袋９ｂ、カートリッジケース９ａの通気孔９ｃ、容器８の蓋８ｃの通気孔８ｄを通過して、温風吹出口７から放出した温風と機器の外部で混合して、室内に放出される。
【００１９】
また、芳香成分や薬効成分の放出により香料や薬草が消費された場合、使用者が容器８の蓋８ｃを装着時とは逆方向にスライドして取り外すことにより、香料や薬草等を収容したカートリッジ９の入れ替えが本体ケース１外部から簡単かつ容易に行うことができる。
【００２０】
以上のように、本発明の実施の形態１によれば、本体ケース１の温風吹出口７近傍からの伝熱や機器の内部温度上昇による伝熱を利用して香料や薬草から芳香成分や薬効成分を放出させるため、本体ケース１内部の風路５内に容器８を設けなくても、室内に放出される温風に充分な薬効成分を付加することができ、また、風路５の構造を変えないため、温風暖房機として必要な送風量が容易に得られる。更に、香料や薬草等を収容したカートリッジ９を収容するための容器８には、本体ケース１外部から簡単に開閉できる蓋８ｃを設けているので、香料や薬草等が消耗した場合、使用者が容易に香料や薬草等を収容したカートリッジ９を入れ替えることができる。
【図面の簡単な説明】
【００２１】
【図１】本発明の実施の形態１を示す温風暖房機の全体図である。
【図２】本発明の実施の形態１を示す温風暖房機の縦断面図である。
【図３】本発明の実施の形態１を示す容器装着部の分解図である。
【図４】本発明の実施の形態１を示す容器装着部の拡大縦断面図である。
【符号の説明】
【００２２】
１  本体ケース
２  バーナ
３  燃焼筒
４  対流用ファン
５  風路
６  ルーバ
７  温風吹出口
８  容器
９  カートリッジ
１ａ  取付穴
８ａ  板金製のケース
８ｂ  樹脂製の取付枠
８ｃ  蓋
８ｄ  通気孔
９ａ  カートリッジケース
９ｂ  半透膜袋
９ｃ  通気孔
【図１】
2005069626.tif 000003
【図２】
2005069626.tif 000004
【図３】
2005069626.tif 000005
【図４】
2005069626.tif 000006